(57)【要約】【課題】スプリングとディスクスプリングを用いて支持可能ロードの範囲を拡大しながら構造的揺れを最少化できるヒンジ装置を提供する。【解決手段】ブラケットと；両端に挿入溝が形成され、中心部に据え掛け段差が形成されるシャフトと；ブラケットとシャフトとの間に備えられるスプリングと；ブラケットを挟んで嵌められる１対以上のスペースワッシャと；シャフトにスペースワッシャに続いて嵌められる、内周面に突起を備えた一つ以上のディスクスプリングと；内周面に突起を備え、ディスクスプリングに接して、挿入溝に嵌合して装着されるガイドワッシャと；ナットで構成されるヒンジ装置であって、スペースワッシャの少なくとも一以上の面にはオイルグルーブが形成されているヒンジ装置。【選択図】　図１
2004100893.tif 000002
【特許請求の範囲】
【請求項１】
内部に軸穴を有するブラケットと；
両端に長さ方向に沿って延びた深さが直径方向の挿入溝が形成され、中心部に一定間隔で据え掛け段差が形成される、前記ブラケットの軸穴を貫通するシャフトと；
前記ブラケットとシャフトとの間に備えられるスプリングと；
内部に貫通口が形成され、前記ブラケットの軸穴を挟んで対面するように嵌められる１対以上のスペースワッシャと；
内部に貫通口が備わり、前記ブラケットの軸孔を貫通したシャフトにスペースワッシャに続いて嵌められる、前記シャフトの挿入溝に嵌合して装着される前記貫通口内周面に突起を備えた一つ以上のディスクスプリングと；
内部に貫通口が形成され、前記貫通口内周面に突起を備え、前記ディスクスプリングに接して、前記シャフトの挿入溝に嵌合して装着されるガイドワッシャと；
前記シャフトの端に締結されるナットで構成されることを特徴とするヒンジ装置であって、
前記スペースワッシャの少なくとも一以上の面にはオイルグルーブが形成されていることを特徴とするヒンジ装置。
【請求項２】
前記ディスクスプリングのへこんだ内側面には溝が形成されたことを特徴とする請求項１に記載のヒンジ装置。
【請求項３】
前記ガイドワッシャの少なくとも一以上の面には波紋状のグルーブが形成されることを特徴とする請求項１に記載のヒンジ装置。
【発明の詳細な説明】
【０００１】
【発明の属する技術分野】
本発明はヒンジ装置に関する。
【０００２】
【従来の技術】
世界的に電子産業の技術が発展するにしたがって、人々が携帯して移動することができる携帯用コンピュータ、携帯電話、携帯用端末機、画像電話機等、携帯及び使用が簡便な軽量で小型の多様な製品が開発されて用いられている。
【０００３】
このような製品、例えば、携帯用コンピュータは、本体とカバー、液晶ディスプレーで構成され、カバーはヒンジ装置を中心として回転されて開閉できるように本体に結合される。携帯用コンピュータを用いる時には、ヒンジ装置を中心軸としてカバーを開けて一定な角度で維持させて用いるようになるが、一定な角度に開かれたカバーを固定的に維持させるために適切な止め手段が採用される。
【０００４】
このようなヒンジ装置は、一般的に所定の弾性によって隣接した部材に摩擦力を付与して開かれたカバーの角度を固定的に維持させるスプリングがその軸に装着される構成を有するが、このようなヒンジ装置は構成部品の揺れで作動性が良くなくて騷音と摩耗が甚だしい問題点があって、このような問題点を解決するために本願発明者の登録実用新案第１７３２８３号ではスプリングを用いないで、ディスクスプリング（皿スプリングと表記されている）を用いて作動性を向上させて、騷音と摩耗を減らすことができるヒンジ装置が開示されている。
【０００５】
【発明が解決しようとする課題】
しかし、前記実用新案は、作動性と安全性は確保されうるが支持可能ロードの範囲が限定的な短所がある。
それで本発明は前記したような問題を解決してスプリングとディスクスプリングを用いて支持可能ロードの範囲を拡大しながらも構造的揺れを最少化できるヒンジ装置を提供することにその目的がある。
本発明の他の目的は、回転が円滑で操作性が向上されたヒンジ装置を提供することにある。
本発明のさらに他の目的は、騷音及び摩耗を防止して信頼性が向上させたヒンジ装置を提供することにある。
【０００６】
【課題を解決するための手段】
前記の目的を達成するための本発明のヒンジ装置は、内部に軸穴を有するブラケットと；両端に長さ方向に沿って延びた深さが直径方向の挿入溝が形成され、中心部に一定間隔で据え掛け段差が形成される、前記ブラケットの軸穴を貫通するシャフトと；前記ブラケットとシャフトとの間に備えられるスプリングと；内部に貫通口が形成され、前記ブラケットの軸穴を挟んで対面するように嵌められる１対以上のスペースワッシャと；内部に貫通口が備わり、前記ブラケットの軸孔を貫通したシャフトにスペースワッシャに続いて嵌められる、前記シャフトの挿入溝に嵌合して装着される前記貫通口内周面に突起を備えた一つ以上のディスクスプリングと；内部に貫通口が形成され、前記貫通口内周面に突起を備え、前記ディスクスプリングに接して、前記シャフトの挿入溝に嵌合して装着されるガイドワッシャと；前記シャフトの端に締結されるナットで構成されることを特徴とするヒンジ装置であって、前記スペースワッシャの少なくとも一以上の面にはオイルグルーブが形成されていることを特徴とするヒンジ装置である。
【０００７】
【発明の実施の形態】
以下、本発明を添付した例示図面を参照しながら詳細に説明する。
図１は本発明の一実施例によるヒンジ装置の分解斜視図であって、図２は図１の実施例によるヒンジ装置正面図である。
【０００８】
図示したように本発明のヒンジ装置は、ブラケット１とシャフト３を備え、前記ブラケット１内部には軸穴５が形成されてシャフト３がこの軸穴を貫通するように嵌められる。また前記シャフト３の一端または両端には、長さ方向に沿って延びた深さが直径方向の挿入溝７が形成され、中心部には、一定間隔で据え掛け段差９ａ、９ｂが形成されて段差付けられるように構成される。
【０００９】
前記ブラケット１とシャフト３の据え掛け段差９ａとの間にはスプリング１１が備わって所定の弾性によってヒンジが開かれた角度を固定的に維持することができる。
【００１０】
前記ブラケット１の軸穴５の両端には一対以上のスペースワッシャ１３ａと１３ｂ、１３ｃと１３ｄが接するように設けられる。すなわち、前記スペースワッシャ１３ａと１３ｂ、１３ｃと１３ｄの内部には貫通口１４ａ、１４ｂ、１４ｃ、１４ｄが備わって軸穴５をはさんで対をなして対面するように前記シャフト３に嵌められる。また、前記スペースワッシャ１３ａと１３ｂ、１３ｃと１３ｄの一以上の面には図３に示したように摩擦を減らすことによって前記回転軸３の回転を円滑にするために前記スペースワッシャのほとんど全面積に潤滑オイルが作用できるように波紋状のオイルグルーブ２７が具備される。
【００１１】
前記スペースワッシャ１３ｄに接するように皿形態にへこんだ形状を有する一つ以上のディスクスプリング１７ａ、１７ｂ、１７ｃ、１７ｄが設けられて、前記ディスクスプリング１７ｄに接するようにガイドワッシャ１９が装着される。
【００１２】
図４（Ａ）、図４（Ｂ）、図５（Ａ）と図５（Ｂ）は、各々前記ディスクスプリングとガイドワッシャの正面図及び側面図を示したものであって、図示したように前記ディスクスプリング１７ａとガイドワッシャ１９はすべて円板状であって内部に貫通口１８ａ、２０が形成されて、特に貫通口の内周面には各々突起２１、２３が形成されているので、前記ディスクスプリング１７ａとガイドワッシャ１９は各々貫通口１８ａ、２０内周の突起２１、２３が前記シャフト（３、図１参照）の挿入溝７に嵌められるように設けられる。
【００１３】
また、図４（Ｂ）に示したように、前記ディスクスプリング１７ａのへこんだ内側面には本発明の望ましい実施例によって貫通口１８ａから前記ディスクスプリング１７ａの縁に向けて溝２４を形成させることができる。前記溝２４は圧延などの方式で前記ディスクスプリング１７ａの内側面に形成されて、前記ディスクスプリング１７ａの弾性を向上させる役割をする。望ましくは図４（Ｂ）に示したように前記溝２４は１２０度の角度間隔を有して３個が形成されうる。
【００１４】
また、図５（Ａ）に示したように、前記ガイドワッシャ１９の一以上の面には前記スペースワッシャ１３ａと１３ｂ、１３ｃと１３ｄと同一方式で波紋状のオイルグルーブ２６を形成させて潤滑オイルが充填されることによって回転軸３の回転時円滑な作動を可能にすることができる。
前記シャフトの端にはナット２５が締結されて構成要素の水平位置を固定する。
【００１５】
このように構成される本発明によるヒンジ装置の開閉作動を説明すると、例えば携帯用コンピュータのようにカバーを開ければ前記スプリング１１が回動しながらトルクを発生して、スペースワッシャ１３ｂ、１３ｄとガイドワッシャ１９との間の皿型のディスクスプリング１７ａ、１７ｂ、１７ｃ、１７ｄが膨脹しながら摩擦抵抗を発生して一定な角度に回転されているヒンジ装置が固定的に維持される。
【００１６】
このとき前記ディスクスプリング１７ａ、１７ｂ、１７ｃ、１７ｄとガイドワッシャ１９はその貫通口の内周面に突起２１、２３を備えて前記シャフト３の挿入溝７に嵌められるように構成されていて、開閉作動中シャフト３がディスクスプリング１７ａ、１７ｂ、１７ｃ、１７ｄとガイドワッシャ１９の揺れを抑えて最少化して作動性能を向上させる。
【００１７】
そして、前記ブラケット１の軸穴両面のスペースワッシャ１３ａ、１３ｂ、１３ｃ、１３ｄは前記ディスクスプリング１７ａ、１７ｂ、１７ｃ、１７ｄを支えながらその一面以上に形成されたオイルグルーブ２７に潤滑オイルを貯蔵して均等に塗布して操作性を向上させて、騷音と摩耗を減少させる。
【００１８】
【発明の効果】
以上で説明したように本発明によるヒンジ装置は、シャフトに挿入溝を形成してディスクスプリングとガイドワッシャに突起を形成して前記シャフトの挿入溝に突起が掛かるように設置して開閉回動時揺れを最少化することができて、したがって作動性能を向上させることができる効果がある。
【００１９】
またスペースワッシャには潤滑油を均等に塗布できるように一面以上に波紋状のオイルグルーブを形成して操作性を向上させて、騷音と摩耗を減らすことができる。
【００２０】
以上では本発明の望ましい実施例に対して図示してまた説明したが、本発明は前記した実施例に限らず、請求範囲で請求する本発明の要旨を外れることがなく該発明の分野で通常の知識を有する者であれば誰でも多様な変形実施が可能なことはもちろんであり、そのような変形は請求範囲の記載範囲内にあることになる。
【図面の簡単な説明】
【図１】図１は、本発明の一実施例によるヒンジ装置の分解斜視図である。
【図２】図２は、図１の実施例によるヒンジ装置の断面図である。
【図３】図３は、図１のヒンジ装置のスペースワッシャの正面図である。
【図４】（Ａ）は、図１のヒンジ装置のディスクスプリングの正面図である。
（Ｂ）は、図１のヒンジ装置のディスクスプリングの側面図である。
【図５】（Ａ）は、図１のヒンジ装置のガイドワッシャの正面図である。
（Ｂ）は、図１のヒンジ装置のガイドワッシャの側面図である。
【符号の説明】
１：ブラケット
３：シャフト
５：軸穴
７：挿入溝
９ａ、９ｂ：据え掛け段差
１１：スプリング
１３ａ、１３ｂ、１３ｃ、１３ｄ：スペースワッシャ
１７ａ、１７ｂ、１７ｃ、１７ｄ：スプリング
１９：ガイドワッシャ
２１、２３：突起
２４：スプリング溝
２５：ナット
２６、２７：オイルグルーブ
【図１】
2004100893.tif 000003
【図２】
2004100893.tif 000004
【図３】
2004100893.tif 000005
【図４】
2004100893.tif 000006
【図５】
2004100893.tif 000007